(57)【要約】      （修正有）【課題】安全性が高く、耐久性のある看板の枠ガード構造を提供する。【解決手段】柔軟材で形成し、横断面がＶ字状を成す長尺のガード材３を、枠２の表面と側周面の角部へ二面に跨って、ビス５で被着する。柔軟材で形成した隅ガード材４を、枠２の隅部における側周面と表面を、前記ガード材３の隅部近傍の先端部に被って、ビス５で被着した。【選択図】図１
0003185433.tif 000002
【実用新案登録請求の範囲】
【請求項１】
柔軟材で形成し、横断面がＶ字状を成す長尺のガード材を、枠の表面と側周面の角部へ二面に跨って、ビスで被着したこと、前記柔軟材で形成した隅ガード材を、枠の隅部における側周面と表面を、前記ガード材の隅部近傍の先端部に被って、ビスで被着したことを特徴とする看板の枠ガード構造。
【請求項２】
ガード材の枠の側周面を被着する面の幅を長くしたことを特徴とする請求項１に記載の看板の枠ガード構造。
【請求項３】
ガード材の枠の表面を被着する面の外側面に、溝条を長尺方向に設けたことを特徴とする請求項１又は２に記載の看板の枠ガード構造。
【請求項４】
柔軟材が塩化ビニルゴムであることを特徴とする請求項１乃至３のいずれかに記載の看板の枠ガード構造。
【考案の詳細な説明】
【技術分野】
【０００１】
本考案は、例えば立て看板等の看板の枠ガード構造に関するものである。
【背景技術】
【０００２】
例えば、立て看板は、道路標識や広告標識として広く用いられるが、通行人が接触した場合の安全性や、取り扱う作業者の切傷防止、風等の転倒による看板自体の破損や老朽化防止のために、枠に保護カバー（ガード）を設けることが提案されている。
【０００３】
従来の保護カバーは、角状の枠の周囲を囲繞して包着する形態、三方の枠面を被覆するコ字状の形態としたもの、或いは枠の一面毎に板体を被着する形態としたものがある。
そして、保護カバーとしては、発泡樹脂材、硬質樹脂材、木材或いは金属等も使われている。
【０００４】
発泡樹脂材は、枠に予め打ち付けたビスの上から被せて取り付けているため、風等で剥がれ易い問題、紫外線による劣化が進行し、一現場における使用で交換しなければならない経済性及び資源の有効利用の問題がある。
【先行技術文献】
【特許文献】
【０００５】
【特許文献１】実用新案登録第３１５１０２９号公報
【考案の概要】
【考案が解決しようとする課題】
【０００６】
そこで、上記従来の保護カバーに鑑み、より安全性が高く、耐久性のある看板の枠ガード構造を提供せんとするものである。
【課題を解決するための手段】
【０００７】
本願に係る看板の枠ガード構造の請求項1の考案は、柔軟材で形成し、横断面がＶ字状を成す長尺のガード材を、枠の表面と側周面の角部へ二面に跨って、ビスで被着したこと、前記柔軟材で形成した隅ガード材を、枠の隅部における側周面と表面を、前記ガード材の隅部近傍の先端部に被って、ビスで被着したことを特徴とするものである。
【０００８】
請求項２の看板の枠ガード構造の考案は、請求項１に記載の考案において、ガード材の枠の側周面を被着する面の幅を長くしたことを特徴とするものである。
【０００９】
請求項３の看板の枠ガード構造の考案は、請求項１又は２に記載の考案において、ガード材の枠の表面を被着する面の外側面に、溝条を長尺方向に設けたことを特徴とするものである。
【００１０】
請求項４の看板の枠ガード構造の考案は、請求項１乃至３のいずれかに記載の考案において、柔軟材が塩化ビニルゴムであることを特徴とするものである。
【考案の効果】
【００１１】
請求項１の考案は、板の露出面を柔軟材のガード材でガードするため、運搬・設置時や通行人が触れても切傷するのを防止すると共に枠自体の傷みをも防止する効果がある。
そして、ガード材はＶ字状を成す長尺体であるから、角部に当てると９０度に押し広げられることにより、復帰力が生じて枠の表面と側周面を押圧するように被着できる効果も有する。
【００１２】
また、隅部においては、隅ガード材で側周面と表面を、前記ガード材の隅部近傍の先端部に被って被着するものであるから、隅部においても隅ガード材で先鋭な角部を安全かつ強固に、耐久性を確保してガードされる効果を発揮する。
【００１３】
さらに、ビスでガード材及び隅ガード材の上から枠へ止めるものであり、ガード材及び隅ガード材は柔軟性があるため、ビスの頭部が食い込んで大きく突起しないこと、風等の微振動を吸収してネジ戻りを防止すること、及び枠の板切れを防止する等の効果を有する。
【００１４】
尚、枠の裏面までガード材を被着すると、支持脚を閉じた場合等に障碍となり、取扱が不便となること、裏面側は安全性や転倒時の破損に直接影響しないため、カバーの必要性が低いと考えられる。
【００１５】
請求項２の看板の枠ガード構造の考案は、請求項１に記載の考案の効果に加えて、ガード材の枠の側周面を被着する面の幅を長くしたことにより、側周面が表面より長寸の枠材に応じてガードできる効果を有する。
【００１６】
請求項３の看板の枠ガード構造の考案は、請求項１又は２に記載の考案の効果に加えて、ガード材の枠の表面を被着する面の外側面に、溝条を長尺方向に設けたため、この溝条がビスを打ち込む目標になると共に、整然とビスの頭部が並んで体裁も映える効果を有する。
【００１７】
請求項４の看板の枠ガード構造の考案は、請求項１又は２に記載の考案の効果に加えて、柔軟材を塩化ビニルゴムとすることで、機械的安定性、対クリープ性、柔らかさの設定自由度、対薬品性、難燃性、電器特性或いは耐久性に優れた製品となる効果を有する。
【図面の簡単な説明】
【００１８】
【図１】本考案の一実施の形態を示す立て看板の本体部分の正面図である。
【図２】図１のＡ−Ａ線の端面図である。
【図３】本考案のガード材の他の実施の形態を示す斜視図である。
【図４】本考案の隅ガード材の使用の状態を示す側面図である。
【図５】本考案の隅ガード材の他の実施の形態を示す斜視図である。
【考案を実施するための形態】
【００１９】
本考案の実施の形態を図面に基づいて説明する。
図面は本考案の一実施の形態を示す立て看板１の正面図であり、立て看板１の周囲を構成する枠２の直線部にガード材３を、隅部に隅ガード材４を被設し、ビス５を螺入して装着したものである。
【００２０】
ガード材３は、柔軟材で形成し、横断面がＶ字状を成す長尺体で、枠２の表面２１と側周面２２の角部へ二面に跨って、ビス５の頭部が柔軟材であるガード材３に食い込んで大きく突起しないように被着されている。
ガード材３はＶ字状を成す長尺体であるから、枠２の角部に当てると９０度に押し広げられることにより、復帰力が生じて枠２の表面２１と側周面２２を押圧して密着し、ガード材３の上からビス５で枠２へ止着するものとなる。
【００２１】
ガード材３の枠２の側周面２２を被着する面３２の幅を、枠２の表面２１を被着する面３１より長くすることもできる。
この場合、側周面２２が表面２１より長寸の枠２に対応してガード（保護）できる作用を奏する。
【００２２】
図３は本考案のガード材３の他の実施の形態を示す斜視図であり、ガード材３の枠２の表面２１を被着する面３１の外側面に、溝条３３を長尺方向に設けたものである。
この溝条３３がビス５を打ち込む目標になると共に、整然とビスの頭部が並んで体裁も映えるものとなる。
【００２３】
一方、前記ガード材３と同様に柔軟材で形成した隅ガード材４は、前記ガード材３の隅部近傍の先端部に被って、枠２の隅部を形成する側周面２２を被覆する面４２、４２と、表面２１を被覆し面４２、４２の表面側を連係する面４１から成り、面４２、４２においてビス５で被着されている。
【００２４】
隅ガード材４の枠２の表面２１を被着し、面４２、４２の表面側を連係する面４１は、直角三角形の形状（図１、図５参照）としても、また、湾曲形状や鉤型形状としても表面側に同一の作用を奏するものである。
【００２５】
柔軟材の素材としては、例えば合成ゴムや塩化ビニルが挙げられ、特に塩化ビニルは機械的安定性、対クリープ性、柔らかさの設定自由度、対薬品性、難燃性、電器特性或いは耐久性等において、本考案に相応しい物性を有する材料と言える。
【００２６】
以上のように、本発明を図面に基づいて説明した実施の形態における具体的構成は一例であり、同様の作用効果を得られる他の構成又は手段を排除するものではない。
【符号の説明】
【００２７】
１          立て看板
２          枠
２１        枠の表面
２２        枠の側周面
３          ガード材
３１、３２  ガード材の面
３３        溝条
４          隅ガード材
４１、４２  隅ガード材の面
５          ビス
【図１】
0003185433.tif 000003
【図２】
0003185433.tif 000004
【図３】
0003185433.tif 000005
【図４】
0003185433.tif 000006
【図５】
0003185433.tif 000007